(57)【要約】【課題】  複数の基本画像から、実際に紙をめくっているような表示を行う。【解決手段】  入力された複数の基本静止画像から変形画を生成し、前記基本静止画像と生成した変形画を並べることにより動画を形成するためのコンテンツ画像を形成する画像生成装置であって、前記基本静止画像から変形の度合いが異なる複数の変形画を生成するための変形手段を記憶する記憶手段と、前記複数の基本静止画像のそれぞれについて、前記変形手段を用いて変形の度合いが異なる複数の変形画を生成し、前記複数の静止基本画像の間に、生成した変形画を、その変形の度合いが徐々に変化するように挿入したコンテンツ画像を生成する画像処理手段を有する。【選択図】  図１
2012048491.tif 000002
【特許請求の範囲】
【請求項１】
入力された複数の基本静止画像から変形画を生成し、前記基本静止画像と生成した変形画を並べることにより動画を形成するためのコンテンツ画像を形成する画像生成装置であって、
前記基本静止画像から変形の度合いが異なる複数の変形画を生成するための変形手段を記憶する記憶手段と、
前記複数の基本静止画像のそれぞれについて、前記変形手段を用いて変形の度合いが異なる複数の変形画を生成し、前記複数の静止基本画像の間に、生成した変形画を、その変形の度合いが徐々に変化するように挿入したコンテンツ画像を生成する画像処理手段を有することを特徴とする画像生成装置。
【請求項２】
請求項１記載の画像生成装置において、
画像処理手段は、静止基本画像の間に挿入する変形画として後に入力された基本静止画の変形画を用いる場合には、変形度合いが高いものから低いものの順に挿入することを特徴とする画像生成装置。
【請求項３】
請求項１記載の画像生成装置において、
画像処理手段は、静止基本画像の間に挿入する変形画として先に入力された基本静止画の変形画を用いる場合には、変形度合いが低いものから高いものの順に挿入することを特徴とする画像生成装置。
【請求項４】
請求項１ないし請求項３のいずれかに記載の画像生成装置において、
変形手段が、基準点の座標と、該基準点上の周辺画像が変形後にどの位置に移動するかを示した変更点の座標との組を記憶する変形テーブルであることを特徴とする画像生成装置。
【請求項５】
請求項１ないし請求項４のいずれかに記載の画像生成装置において、
前記コンテンツ画像を記憶する一時記憶手段と、
前記一時記憶手段に記憶されたコンテンツ画像による表示を行う表示手段とを有することを特徴とする画像生成装置。
【請求項６】
請求項１ないし請求項４のいずれかに記載の画像生成装置において、
前記記憶手段は、コンテンツ画像を纏めたコンテンツ画像ファイルを記憶し、
外部からの要求に応じて前記記憶手段に記憶されたコンテンツ画像ファイルを送信する制御部を有することを特徴とする画像生成装置。
【請求項７】
基本静止画像から変形の度合いが異なる複数の変形画を生成するための変形手段を記憶する記憶手段を備え、入力された複数の基本静止画像から変形画を生成し、前記基本静止画像と生成した変形画を並べることにより動画を形成するためのコンテンツ画像を形成する画像生成装置で行われる画像形成方法であって、
画像処理手段が、前記複数の基本静止画像のそれぞれについて、前記変形手段を用いて変形の度合いが異なる複数の変形画を生成し、前記複数の静止基本画像の間に、生成した変形画を、その変形の度合いが徐々に変化するように挿入したコンテンツ画像を生成することを特徴とする画像生成方法。
【請求項８】
請求項７記載の画像生成方法において、
画像処理手段が、静止基本画像の間に挿入する変形画として後に入力された基本静止画の変形画を用いる場合には、変形度合いが高いものから低いものの順に挿入することを特徴とする画像生成方法。
【請求項９】
請求項７記載の画像生成装置において、
画像処理手段が、静止基本画像の間に挿入する変形画として先に入力された基本静止画の変形画を用いる場合には、変形度合いが低いものから高いものの順に挿入することを特徴とする画像生成方法。
【請求項１０】
請求項７ないし請求項９のいずれかに記載の方法をコンピュータシステムに実行させるプログラム。
【請求項１１】
請求項１０記載のプログラムを格納した記録媒体。
【発明の詳細な説明】
【技術分野】
【０００１】
本発明は、複数の基本画像から、動画を形成するための複数の画像を生成する画像生成装置に関する。
【背景技術】
【０００２】
現在、ネットワークや記録媒体を介して様々なコンテンツの表示が行われている。コンテンツとしてのアニメーションを表示する技術として、特許文献１（特開２００４−３０２５３７号公報）に開示されるものがある。
【０００３】
特許文献１に開示される技術は、アニメーションの１コマ毎に１枚のデータまたは差分の画像データを用いる場合には、画像データ量が多くなることを課題とするもので、静止画の画像情報に基づく演算により、静止画を変形した変形静止画の画像情報を形成し、指示信号に基づいて、変形画像情報の形成を制御するとともに、変形画像情報のタイミングを制御して、変形静止画を携帯端末の動作などに対応してアニメーション画像として表示するものである。
【先行技術文献】
【特許文献】
【０００４】
【特許文献１】特開２００４−３０２５３７号公報
【発明の概要】
【発明が解決しようとする課題】
【０００５】
コンテンツは多様化しており、様々な内容のものが求められている。その一つとしてパラパラ漫画に似せたコンテンツが挙げられる。パラパラ漫画は、内容がすこしずつ異なる絵が描かれた複数の紙をすばやくめくるものである。特許文献１に開示される技術では、連続したアニメーション画像としての表示は可能となるものの、実際に紙がめくられているような表示を行うことはできない。
【０００６】
本発明は、複数の基本画像から、実際に紙をめくっているような表示を行うための複数の画像を生成する画像生成装置を実現する。
【課題を解決するための手段】
【０００７】
本発明による画像生成装置は、入力された複数の基本静止画像から変形画を生成し、前記基本静止画像と生成した変形画を並べることにより動画を形成するためのコンテンツ画像を形成する画像生成装置であって、
前記基本静止画像から変形の度合いが異なる複数の変形画を生成するための変形手段を記憶する記憶手段と、
前記複数の基本静止画像のそれぞれについて、前記変形手段を用いて変形の度合いが異なる複数の変形画を生成し、前記複数の静止基本画像の間に、生成した変形画を、その変形の度合いが徐々に変化するように挿入したコンテンツ画像を生成する画像処理手段を有することを特徴とする。
【０００８】
本発明による画像生成方法は、基本静止画像から変形の度合いが異なる複数の変形画を生成するための変形手段を記憶する記憶手段を備え、順番に入力された複数の基本静止画像から変形画を生成し、前記基本静止画像と生成した変形画を並べることにより動画を形成するためのコンテンツ画像を形成する画像生成装置で行われる画像形成方法であって、
画像処理手段が、前記複数の基本静止画像のそれぞれについて、前記変形手段を用いて変形の度合いが異なる複数の変形画を生成し、前記複数の静止基本画像の間に、生成した変形画を、その変形の度合いが徐々に変化するように挿入したコンテンツ画像を生成することを特徴とする。
【０００９】
本発明のプログラムは、上記の方法をコンピュータシステムに実行させ、本発明による記録媒体は、上記のプログラムを格納している。
【発明の効果】
【００１０】
上記のように構成される本発明では、複数の基本画像から、実際に紙をめくっているような表示を行うことができる。
【図面の簡単な説明】
【００１１】
【図１】本発明による画像生成装置の一実施形態の構成を示すブロック図である。
【図２】図１に示される各手段の動作および格納内容を示すブロック図である。
【図３】図１に示した実施形態の動作を示すフローチャートである。
【図４】本発明による画像生成装置の他の実施形態の構成を示すブロック図である。
【図５】図４に示される各手段の動作および格納内容を示すブロック図である。
【図６】図４に示した実施形態の動作を示すフローチャートである。
【図７】本発明の上記の各実施形態で行われる、基本静止画像からコンテンツ画像を作成する動作について説明するための図である。
【図８】本発明の上記の各実施形態で行われる、基本静止画像からコンテンツ画像を作成する動作について説明するための図である。
【図９】本発明の上記の各実施形態で行われる、基本静止画像からコンテンツ画像を作成する動作について説明するための図である。
【図１０】本発明の上記の各実施形態で行われる、基本静止画像からコンテンツ画像を作成する動作について説明するための図である。
【図１１】本発明の上記の各実施形態で行われる、基本静止画像からコンテンツ画像を作成する動作について説明するための図である。
【図１２】本発明の上記の各実施形態で行われる、基本静止画像からコンテンツ画像を作成する動作について説明するための図である。
【発明を実施するための形態】
【００１２】
次に、本発明の実施形態について図面を参照して説明する。
【００１３】
図１は本発明による画像生成装置の一実施形態の構成を示すブロック図、図２は図１に示される各手段の動作および格納内容を示すブロック図である。
【００１４】
画像生成装置１０１は、制御手段１０２、記憶手段１０３、画像処理手段１０４、一時記憶手段１０５、入力手段１０６、および、表示手段１０７から構成されるもので、予め記憶する複数の基本静止画像から、変形テーブル（もしくは変形式）を用いて動画を構成するコンテンツ画像を生成し、表示するものである。
【００１５】
制御手段１０２は各手段の制御を行う。記憶手段１０３は、基本静止画像と、基本静止画像から変形画を生成するための変形テーブル（もしくは、変形式）、基本静止画像と変形画を複製する数を蓄積する複製数テーブル、基本静止画像と変形画について影を付加するための影画像を記憶する。また、制御手段を動作させるためのプログラムなども記憶する。
【００１６】
画像処理手段１０４は、記憶手段１０３から基本静止画像と変形テーブル（もしくは、変形式）を読み出して、基本静止画像から変形画を生成し、複製数テーブルを参照して蓄積されている数に応じて基本静止画像と変形画を複製し、影画像に応じて影を付加し、さらに動画を行う順に並べることによりコンテンツ画像を生成する。
【００１７】
一時記憶手段１０５は、画像処理手段１０４により生成されたコンテンツ画像を一時的に記憶し、表示手段１０７へ順番に出力する。
【００１８】
入力手段１０６は、記憶手段１０４に記憶される制御手段１０２を動作させるためのプログラムの入力や、プログラムの実行などの各種操作の入力、基本静止画像などのファイルの入力を行う際に用いられる。
【００１９】
表示手段１０７は、一時記憶手段１０５より順番に送られてくるコンテンツ画像の表示を順次行い、これにより動画の表示が行われる。
【００２０】
図３は、本実施形態の動作を示すフローチャートであり、以下に図３を参照して本実施形態における動画表示動作について説明する。
【００２１】
入力手段１０６に、動画表示を行う旨の指示入力および基本静止画像が入力されると、入力された基本静止画像を記憶手段１０３が記憶する（ステップＳ１０１）。基本静止画像は、複数の基本静止画像が順番に入力され、順番に対応した番号付けをして記憶手段１０３に記憶しても、複数の基本静止画像が順番に並んで１つにパッケージされたファイルを記憶手段１０３に記憶してもよい。
【００２２】
制御手段１０２は、記憶手段１０３に変形テーブルがあるかを確認し（ステップＳ１０２）、記憶手段１０３に変形テーブルが無い場合には表示手段１０７にエラー表示を行わせて（ステップＳ１０６）終了する。
【００２３】
制御手段１０２は、ステップＳ１０２において記憶手段１０３に変形テーブルがあることが確認された場合には、変形テーブルを用いて基本静止画像から変形画を生成する（ステップＳ１０３）。
【００２４】
次に、制御手段１０２は、記憶手段１０３に複製数テーブルがあるかを確認し（ステップＳ１０４）、記憶手段１０３に複製数テーブルが無い場合には表示手段１０７にエラー表示を行わせて（ステップＳ１０６）終了する。
【００２５】
制御手段１０２は、ステップＳ１０４において記憶手段１０３に複製数テーブルがあることが確認された場合には、複製数テーブルに示される複製数分、基本静止画像および変形画を複製する（ステップＳ１０５）。
【００２６】
制御手段１０２は、続いて、基本静止画像および変形画に影画像を付加し（ステップＳ１０７）、基本静止画像および変形画を順番に並べたコンテンツ画像として一時記憶手段１０５に記憶させ（ステップＳ１０８）、一時記憶手段１０５にコンテンツ画像を順に表示手段１０７へ出力させることにより動画表示を行わせて（ステップＳ１０９）終了する。
【００２７】
次に、本発明の他の実施形態について図面を参照して説明する。
【００２８】
図４は本発明による画像生成装置の他の実施形態の構成を示すブロック図、図５は図４に示される各手段の動作および格納内容を示すブロック図である。
【００２９】
画像生成装置２０１は、制御手段２０２、記憶手段２０３、入力手段２０４、出力手段２０５、および、画像処理手段２０６から構成されるもので、予め記憶する複数の基本静止画像から、変形テーブル（もしくは変形式）を用いて動画を構成するコンテンツ画像を生成し、出力するものである。
【００３０】
制御手段２０２は各手段の制御を行う。記憶手段２０３は、基本静止画像と、基本静止画像から変形画を生成するための変形テーブル（もしくは、変形式）、基本静止画像と変形画を複製する数を蓄積する複製数テーブル、基本静止画像と変形画について影を付加するための影画像を記憶する。また、複製された基本静止画像と複製画を並べたコンテンツ画像ファイルを記憶し、さらに、制御手段を動作させるためのプログラムなども記憶する。
【００３１】
画像処理手段２０６は、記憶手段２０３から基本静止画像と変形テーブル（もしくは、変形式）を読み出して、基本静止画像から変形画を生成し、複製数テーブルを参照して蓄積されている数に応じて基本静止画像と変形画を複製し、影画像に応じて影を付加し、さらに動画を行う順に並べることによりコンテンツ画像ファイルを生成する。
【００３２】
入力手段２０４は、記憶手段２０３に記憶される制御手段２０２を動作させるためのプログラムの入力や、プログラムの実行などの各種操作の入力、基本静止画像などのファイルの入力を行う際に用いられる。
【００３３】
上記のように構成される本実施形態の画像生成装置は、情報端末２０７からのダウンロード要求に応じて、生成したコンテンツ画像ファイルを通信手段（不図示）や他の装置を経由して情報端末２０７に送信し、情報端末２０７はダウンロードしたコンテンツ画像ファイルを再生することにより動画再生を行うものである。
【００３４】
図６は、本実施形態の動作を示すフローチャートであり、以下に図６を参照して本実施形態における動画表示動作について説明する。
【００３５】
入力手段２０４に、動画表示を行う旨の指示入力および基本静止画像が入力されると、入力された基本静止画像を記憶手段２０３が記憶する（ステップＳ２０１）。基本静止画像は、複数の基本静止画像が順番に入力され、順番に対応した番号付けをして記憶手段２０３に記憶しても、複数の基本静止画像が順番に並んで１つにパッケージされたファイルを記憶手段２０３に記憶してもよい。
【００３６】
制御手段２０２は、記憶手段２０３に変形テーブルがあるかを確認し（ステップＳ２０２）、記憶手段２０３に変形テーブルが無い場合には表示手段（不図示）にエラー表示を行わせて（ステップＳ２０６）終了する。
【００３７】
制御手段２０２は、ステップＳ２０２において記憶手段２０３に変形テーブルがあることが確認された場合には、変形テーブルを用いて基本静止画像から変形画を生成する（ステップＳ２０３）。
【００３８】
次に、制御手段２０２は、記憶手段２０３に複製数テーブルがあるかを確認し（ステップＳ２０４）、記憶手段２０３に複製数テーブルが無い場合には表示手段にエラー表示を行わせて（ステップＳ２０６）終了する。
【００３９】
制御手段２０２は、ステップＳ２０４において記憶手段２０３に複製数テーブルがあることが確認された場合には、複製数テーブルに示される複製数分、基本静止画像および変形画を複製する（ステップＳ２０５）。
【００４０】
制御手段２０２は、続いて、基本静止画像および変形画に影画像を付加し（ステップＳ２０７）、基本静止画像および変形画を順番に並べたコンテンツ画像とし、さらに１つのファイルに纏めたコンテンツ画像ファイルとして記憶手段２０３に記憶させて（ステップＳ２０８）終了する。
【００４１】
この後、情報端末２０７からコンテンツ画像ファイルの送信要求を受け付けると、制御手段２０２は記憶手段２０３に記憶されているコンテンツ画像ファイルを情報端末２０７へ送信する。
【００４２】
以下に、図７ないし図１２を参照して、本発明の上記の各実施形態で行われる、基本静止画像からコンテンツ画像を作成する動作について説明する。
【００４３】
図７に示す例では、基本静止画像として基本画１，２，３，・・・が入力され、基本画２および基本画３から、それぞれ３個の変形画２ａ〜２ｃおよび変形画３ａ〜３ｃが生成されている。各変形画において、ａからｃとなるにつれて変形度合いが強いものから弱いものとされている。
【００４４】
図８ないし図１０は、変形画の種類を示す図である。
【００４５】
図９（ａ）もしくは図１０（ａ）に示される基本静止画像に対し、図８の上段に示される変形画は、図９（ｂ）に示されるように、パラパラ漫画の紙送りを手のひらの上で行っているような、斜めから見た立体的な状態を示す変形画である。
【００４６】
図８の中段に示される変形画は、図９（ｃ）もしくは図１０（ｃ）に示されるように、パラパラ漫画の紙送りを紙面の真上から見た状態を示す変形画である。
【００４７】
図８の下段に示される変形画は、図１０（ｂ）に示されるように、パラパラ漫画が描かれた紙面にしなりが発生しない状態を示す変形画である。
【００４８】
上記のコンテンツ画像の生成について、以下に、詳細に説明する。
【００４９】
まず、変形画の生成について説明する。
【００５０】
記憶手段１０３もしくは記憶手段２０３に、挿入する変形画の種類に合わせて、基本静止画像を変形する変形テーブル（または変形式）を記憶させておく。
【００５１】
例えば、変形テーブルは、元画像（基本静止画像）に短冊状や格子状などに配置される基準点の座標と、その基準点上の周辺画像が変形後にどの位置に移動するかを示した変更点の座標との組を記憶しておく。また、変形式は、変形テーブルに記憶されている基準点の座標を与えると、変形テーブルに記憶されている基準点と組として記憶されている変更点の座標が得られる。ただし、変形テーブルや変形式はこの例に限らず、既存の画像変形方法を用いてよい。
【００５２】
以下の表１ないし表３は、変形画２ａ〜２ｃ（もしくは変形画３ａ〜３ｃ）を作成するための変形テーブルである。
【００５３】
【表１】
2012048491.tif 000003
【００５４】
【表２】
2012048491.tif 000004
【００５５】
【表３】
2012048491.tif 000005
【００５６】
画像処理手段１０４もしくは画像処理手段２０６が、記憶手段１０３もしくは記憶手段２０３に記憶されている変形テーブル（もしくは変形式）を用いて、基本静止画像から既定数の変形画を生成する。移動した周辺画像同士が重なる場合や隣り合う周辺画像の間に隙間が空く場合は、隣り合う周辺画像同士の中間色で補正する。
【００５７】
続いて、画像処理手段１０４もしくは画像処理手段２０６は、記憶手段１０３もしくは記憶手段２０３に記憶されている複製数テーブルを参照して、基本静止画像と変形画の複製を生成する。表４は、図７に示されるコンテンツ画像を生成する差異の複製数テーブルの格納内容を示す図である。
【００５８】
図７に示されるコンテンツ画像では、２つの基本画１に対して、変形画ａ〜ｃが１つずつ用いられるため、基本静止画像は１つ複製され、変形画についての複製は行わない。
【００５９】
複製数テーブルは、デフォルトの複製数が入力されたテーブルがあらかじめ用意されており、表示手段に表示した後、入力手段により基本静止画像と変形画の複製数を変更可能に構成されていてもよい。
【００６０】
【表４】
2012048491.tif 000006
【００６１】
続いて、画像処理手段１０４もしくは画像処理手段２０６は、記憶手段１０３もしくは記憶手段２０３に記憶されている基本静止画像、変形画の種類毎の影画像を用いて、基本静止画像や変形画に影画像を付加する。表５に、基本静止画像、変形画と影画像の対応関係を示す。
【００６２】
【表５】
2012048491.tif 000007
【００６３】
続いて、画像処理手段１０４もしくは画像処理手段２０６は、基本静止画像、複製された基本静止画像、生成された変形画（ある場合は、複製された変形画）を順番に並べて、一時記憶手段１０５に記憶するか、記憶手段２０３に１つのファイルにして記憶する。
【００６４】
画像を並べる順番は、以下の２通りが挙げられる。
【００６５】
（１）最初の基本静止画像、複製された分の最初の基本静止画像、最初の基本静止画像の１番目の変形画（あれば複製された分の最初の基本静止画像の１番目の変形画）、最初の基本静止画像の２番目の変形画（あれば複製された分の最初の基本静止画像の２番目の変形画）、・・・、次の基本静止画像、複製された分の次の基本静止画像、次の基本静止画像の１番目の変形画（あれば複製された分の次の基本静止画像の１番目の変形画）、次の基本静止画像の２番目の変形画（あれば複製された分の次の基本静止画像の２番目の変形画）、・・・、最後の基本静止画像の順。
【００６６】
（２）最初の基本静止画像、複製された分の最初の基本静止画像、次の基本静止画像の１番目の変形画（あれば複製された分の次の基本静止画像の１番目の変形画）、次の基本静止画像の２番目の変形画（あれば複製された分の次の基本静止画像の２番目の変形画）、・・・、次の基本静止画像、複製された分の次の基本静止画像、３番目の基本静止画像の１番目の変形画（あれば複製された分の３番目の基本静止画像の１番目の変形画）、３番目の基本静止画像の２番目の変形画（あれば複製された分の３番目の基本静止画像の２番目の変形画）、・・・、最後の基本静止画像の順。
【００６７】
図７および図８に示される例は、（２）による並べ方であり、図１１および図１２に示される例は、（１）による並べ方である。
【００６８】
図７および図８に示される例は、先頭頁である基本画１が最も下の頁とされたパラパラ漫画を順にめくったイメージを再現するものであり、図１１および図１２に示される例は、先頭頁である基本画１が最も上の頁とされたパラパラ漫画を順にめくったイメージを再現するものである。このため、図７および図８に示される例では、基本画の間に挿入される変形画は、次頁のものが用いられ、かつ変形度合いが高いものから低いものの順に挿入され、図１１および図１２に示される例では、基本画の間に挿入される変形画は、現在の頁のものが用いられ、かつ、変形度が低いものから高いものの順に挿入されている。
【００６９】
本発明の各実施形態においては、基本画の間に変形画を上記のように挿入することにより、パラパラ漫画をめくっているイメージを再現することができるものとなっている。
【００７０】
なお、上記の各実施形態を構成する核手段は、入力手段、出力手段、記憶手段、制御手段からなるコンピュータシステム上に構築されるものである。このため、本発明には、上述した各手段をコンピュータシステム上に構築するためのプログラムや、該プログラムを格納した記録媒体をも含む。
【符号の説明】
【００７１】
１０１    画像生成装置
１０２    制御手段
１０３    記憶手段
１０４    画像処理手段
１０５    一時記憶手段
１０６    入力手段
１０７    表示手段
【図１】
2012048491.tif 000008
【図２】
2012048491.tif 000009
【図３】
2012048491.tif 000010
【図４】
2012048491.tif 000011
【図５】
2012048491.tif 000012
【図６】
2012048491.tif 000013
【図７】
2012048491.tif 000014
【図８】
2012048491.tif 000015
【図９】
2012048491.tif 000016
【図１０】
2012048491.tif 000017
【図１１】
2012048491.tif 000018
【図１２】
2012048491.tif 000019
【手続補正書】
【提出日】平成23年9月6日(2011.9.6)
【手続補正１】
【補正対象書類名】特許請求の範囲
【補正対象項目名】請求項９
【補正方法】変更
【補正の内容】
【請求項９】
請求項７記載の画像生成方法において、
画像処理手段が、静止基本画像の間に挿入する変形画として先に入力された基本静止画の変形画を用いる場合には、変形度合いが低いものから高いものの順に挿入することを特徴とする画像生成方法。